(57)【特許請求の範囲】
【請求項１】
車体に電気接続箱を固定するための電気接続箱の取付構造であって、
前記車体には、前記電気接続箱の底面を載置する載置面と、前記電気接続箱の側面に面する壁と、が形成され、
前記載置面と前記電気接続箱の底面には、前記載置面に前記電気接続箱を載せた状態で該電気接続箱を所定方向にスライドさせることにより互いに係合し、係合した状態で前記載置面より上方への前記電気接続箱の移動を規制すると共に前記スライド方向と交差し且つ前記載置面と略平行な方向への前記電気接続箱の移動を規制する第１係合手段が設けられ、
前記壁と前記電気接続箱の側面には、前記第１係合手段が係合状態となった時に互いに係合可能となり、係合することにより前記スライド方向と逆方向への前記電気接続箱の移動を規制する第２係合手段が設けられている、
ことを特徴とする電気接続箱の取付構造。
【請求項２】
前記第２係合手段は、前記電気接続箱の側面に設けられた取付ブラケットと、前記車体の前記壁に設けられて前記取付ブラケットを受け止める受部と、前記取付ブラケットを前記受部に締結するボルトとを有し、前記ボルトによって前記取付ブラケットを前記受部に締結することにより、前記電気接続箱を前記スライド方向、該スライド方向と逆方向、該スライド方向と交差し且つ前記載置面と略平行な方向、および上下方向に規制するものとして構成されており、前記第１係合手段と第２係合手段の位置が前記スライド方向に互いに離れていることを特徴とする請求項１に記載の電気接続箱の取付構造。
【請求項３】
前記載置面と前記電気接続箱の底面には、前記第１係合手段が係合状態となった時に互いに係合可能となり、係合することにより、前記スライド方向と交差し且つ前記載置面と略平行な方向への前記電気接続箱の移動を規制し、それにより前記取付ブラケットと前記受部とを位置合わせする第３係合手段が設けられていることを特徴とする請求項２に記載の電気接続箱の取付構造。
【請求項４】
前記第１係合手段が前記電気接続箱のスライド方向の後部に配置され、前記第２係合手段が前記電気接続箱のスライド方向の前部に配置され、前記第３係合手段が前記第１係合手段と前記第２係合手段の間に配置されていることを特徴とする請求項３に記載の電気接続箱の取付構造。
【請求項５】
前記第１係合手段は、前記電気接続箱の底面および前記載置面のうちの一方に設けられたフックと、前記電気接続箱の底面および前記載置面のうちの他方に設けられ、前記フックがスライドして差し込まれることで該フックと係合する差し込み枠とから構成されていることを特徴とする請求項１〜４のいずれか１項に記載の電気接続箱の取付構造。
【請求項６】
車体の載置面に底面が載置され、側面が前記車体の壁に面する電気接続箱であって、
該電気接続箱の底面には、前記載置面に前記電気接続箱を載せた状態で該電気接続箱を所定方向にスライドさせることにより該載置面に係合し、係合した状態で前記載置面より上方への前記電気接続箱の移動を規制すると共に前記スライド方向と交差し且つ前記載置面と略平行な方向への前記電気接続箱の移動を規制する第１係合手段が設けられ、
該電気接続箱の側面には、前記第１係合手段が係合状態となった時に前記壁に係合可能となり、係合することにより前記スライド方向と逆方向への該電気接続箱の移動を規制する第２係合手段が設けられている、
ことを特徴とする電気接続箱。
【請求項７】
前記第１係合手段は、前記載置面に設けられた差し込み枠に係合するフックによって形成され、前記フックがスライドして該フックを前記差し込み枠に差し込むことで該フックと該差し込み枠が係合する、
ことを特徴とする請求項６に記載の電気接続箱。
【請求項８】
前記第１係合手段は、前記載置面に設けられたフックに係合する差し込み枠によって形成され、前記差し込み枠がスライドして前記フックに差し込まれることで該差し込み枠と該フックが係合する、
ことを特徴とする請求項６に記載の電気接続箱。
【発明の詳細な説明】
【技術分野】
【０００１】
本発明は、車両に搭載される電気接続箱の車体に対する取付構造、およびその電気接続箱に関するものである。
【背景技術】
【０００２】
自動車の車体に電気接続箱を取り付ける構造として、特許文献１や特許文献２に記載の取付構造が知られている。図５は特許文献１に記載の取付構造、図６は特許文献２に記載の取付構造を示している。
【０００３】
例えば、図５の取付構造では、最初に電気接続箱１１０側の差し込みボス１１１を車体側の差し込み孔１０１に差し込み、次に前記ボス１１１を支点にして電気接続箱１１０を矢印（イ）方向に回し、電気接続箱１１０側の位置決めストッパ１１８を車体側のブラケット１０８に当てることで、電気接続箱１１０を位置決めし、最後にボルト１１９により電気接続箱１１０側の取付部１１２、１１３、１１４を車体側の固定部１０２、１０３、１０４に本固定することで、電気接続箱１１０を車体に取り付けている。
【０００４】
また、図６の取付構造では、最初に、電気接続箱１６０側の２本の位置決めボス１６１、１６２を車体側の差し込み孔１５１、１５２に差し込んで、電気接続箱１６０を位置決めし、その状態で、ボルト１６９により電気接続箱側のブラケット１６３を車体側のブラケット１５４に本固定することで、電気接続箱１６０を車体に取り付けている。
【先行技術文献】
【特許文献】
【０００５】
【特許文献１】特開２００１−３１４０１３号公報
【特許文献２】特開平８−２５６４１９号公報
【発明の概要】
【発明が解決しようとする課題】
【０００６】
しかし、特許文献１や特許文献２に記載の従来の取付構造では、いずれも最初の段階で、差し込み孔１０１、１５１、１５２を目視しながら差し込みボス１１１や位置決めボス１６１、１６２を差し込み孔１０１、１５１、１５２に差し込む必要があるので、作業が面倒であった。また、両手で電気接続箱１１０、１６０を支えながらの作業となるため、作業負担が大きかった。
【０００７】
本発明は、上述した事情に鑑みてなされたものであり、その目的は、電気接続箱を確実且つ容易に車体に取り付けることのできる電気接続箱の取付構造、およびその電気接続箱を提供することにある。
【課題を解決するための手段】
【０００８】
前述した目的を達成するために、本発明に係る電気接続箱の取付構造は、下記（１）〜（５）を特徴としている。
（１）  車体に電気接続箱を固定するための電気接続箱の取付構造であって、
前記車体には、前記電気接続箱の底面を載置する載置面と、前記電気接続箱の側面に面する壁と、が形成され、
前記載置面と前記電気接続箱の底面には、前記載置面に前記電気接続箱を載せた状態で該電気接続箱を所定方向にスライドさせることにより互いに係合し、係合した状態で前記載置面より上方への前記電気接続箱の移動を規制すると共に前記スライド方向と交差し且つ前記載置面と略平行な方向への前記電気接続箱の移動を規制する第１係合手段が設けられ、
前記壁と前記電気接続箱の側面には、前記第１係合手段が係合状態となった時に互いに係合可能となり、係合することにより前記スライド方向と逆方向への前記電気接続箱の移動を規制する第２係合手段が設けられている、
こと。
（２）  上記（１）の構成の電気接続箱の取付構造において、
前記第２係合手段は、前記電気接続箱の側面に設けられた取付ブラケットと、前記車体の前記壁に設けられて前記取付ブラケットを受け止める受部と、前記取付ブラケットを前記受部に締結するボルトとを有し、前記ボルトによって前記取付ブラケットを前記受部に締結することにより、前記電気接続箱を前記スライド方向、該スライド方向と逆方向、該スライド方向と交差し且つ前記載置面と略平行な方向、および上下方向に規制するものとして構成されており、前記第１係合手段と第２係合手段の位置が前記スライド方向に互いに離れていること。
（３）  上記（２）の構成の電気接続箱の取付構造において、
前記載置面と前記電気接続箱の底面には、前記第１係合手段が係合状態となった時に互いに係合可能となり、係合することにより、前記スライド方向と交差し且つ前記載置面と略平行な方向への前記電気接続箱の移動を規制し、それにより前記取付ブラケットと前記受部とを位置合わせする第３係合手段が設けられていること。
（４）  上記（３）の構成の電気接続箱の取付構造において、
前記第１係合手段が前記電気接続箱のスライド方向の後部に配置され、前記第２係合手段が前記電気接続箱のスライド方向の前部に配置され、前記第３係合手段が前記第１係合手段と前記第２係合手段の間に配置されていること。
（５）  上記（１）〜（４）のいずれかの構成の電気接続箱の取付構造において、
前記第１係合手段は、前記電気接続箱の底面および前記載置面のうちの一方に設けられたフックと、前記電気接続箱の底面および前記載置面のうちの他方に設けられ、前記フックがスライドして差し込まれることで該フックと係合する差し込み枠とから構成されていること。
【０００９】
上記（１）の構成の電気接続箱の取付構造によれば、電気接続箱の底面を車体側に設けた載置面に載せ、その状態で電気接続箱を所定の方向にスライドさせることにより、第１係合手段を係合させることができ、その係合状態で、第２係合手段を係合させることにより、電気接続箱を全方向に動かないように固定することができる。この場合、電気接続箱を載置面に載せることにより、電気接続箱の荷重を車体側に全面的に預けた状態で取付作業ができるので、作業負担を大幅に軽減することができる。また、載置面に載せた状態で電気接続箱を所定方向にスライドさせるだけで、第１係合手段を係合させることができ、更に第１係合手段が係合した状態で第２係合手段を係合させることができるので、簡単な操作で確実に電気接続箱を車体に取り付けることができる。
上記（２）の構成の電気接続箱の取付構造によれば、第２係合手段が、取付ブラケットと受部とボルトとで構成されている上、第１係合手段と第２係合手段の位置が電気接続箱のスライド方向に離れているので、２箇所の係合手段により電気接続箱の動きを確実に制限することができ、ガタつきなく電気接続箱を車体に固定することができる。
上記（３）の構成の電気接続箱の取付構造によれば、第１係合手段が係合した上で第３係合手段が係合することにより、取付ブラケットと受部とを位置合わせするので、ボルトにより本固定作業が容易にできるようになり、作業の一層の容易化が図れる。
上記（４）の構成の電気接続箱の取付構造によれば、第１係合手段が電気接続箱のスライド方向の後部、第２係合手段が電気接続箱のスライド方向の前部、第３係合手段がそれらの間に配置されているので、第１係合手段が係合した状態での第３係合手段による取付ブラケットと受部との位置合わせを容易にしかも確実に行うことができる。
上記（５）の構成の電気接続箱の取付構造によれば、第１係合手段がフックと差し込み枠とで構成されているので、簡単に実施することができる。
【００１０】
また、前述した目的を達成するために、本発明に係る電気接続箱は、下記（６）〜（８）を特徴としている。
（６）  車体の載置面に底面が載置され、側面が前記車体の壁に面する電気接続箱であって、
該電気接続箱の底面には、前記載置面に前記電気接続箱を載せた状態で該電気接続箱を所定方向にスライドさせることにより該載置面に係合し、係合した状態で前記載置面より上方への前記電気接続箱の移動を規制すると共に前記スライド方向と交差し且つ前記載置面と略平行な方向への前記電気接続箱の移動を規制する第１係合手段が設けられ、
該電気接続箱の側面には、前記第１係合手段が係合状態となった時に前記壁に係合可能となり、係合することにより前記スライド方向と逆方向への該電気接続箱の移動を規制する第２係合手段が設けられている、
こと。
（７）  上記（６）の構成の電気接続箱において、
前記第１係合手段は、前記載置面に設けられた差し込み枠に係合するフックによって形成され、前記フックがスライドして該フックを前記差し込み枠に差し込むことで該フックと該差し込み枠が係合する、
こと。
（８）  上記（６）の構成の電気接続箱において、
前記第１係合手段は、前記載置面に設けられたフックに係合する差し込み枠によって形成され、前記差し込み枠がスライドして前記フックに差し込まれることで該差し込み枠と該フックが係合する、
こと。
【００１１】
上記（６）の構成の電気接続箱によれば、電気接続箱の底面を車体側に設けた載置面に載せ、その状態で電気接続箱を所定の方向にスライドさせることにより、第１係合手段を係合させることができ、その係合状態で、第２係合手段を係合させることにより、電気接続箱を全方向に動かないように固定することができる。この場合、電気接続箱を載置面に載せることにより、電気接続箱の荷重を車体側に全面的に預けた状態で取付作業ができるので、作業負担を大幅に軽減することができる。また、載置面に載せた状態で電気接続箱を所定方向にスライドさせるだけで、第１係合手段を係合させることができ、更に第１係合手段が係合した状態で第２係合手段を係合させることができるので、簡単な操作で確実に電気接続箱を車体に取り付けることができる。
上記（７）または（８）の構成の電気接続箱によれば、第１係合手段がフックと差し込み枠とで構成されているので、簡単に実施することができる。
【発明の効果】
【００１２】
本発明によれば、電気接続箱を確実且つ容易に車体に取り付けることができる。
【００１３】
以上、本発明について簡潔に説明した。更に、以下に説明される発明を実施するための形態を添付の図面を参照して通読することにより、本発明の詳細は更に明確化されるであろう。
【図面の簡単な説明】
【００１４】
【図１】本発明の実施形態に係る電気接続箱の取付構造を簡略化して示す模式図で、（ａ）は電気接続箱を車体に取り付ける前の状態を示す側面図、（ｂ）は電気接続箱を車体に位置決めした状態を示す側面図である。
【図２】本発明の実施形態のより具体化した図であり、電気接続箱の底面側の構成を示す斜視図である。
【図３】図２の電気接続箱を側方から見た側面図である。
【図４】図２の電気接続箱の底面図である。
【図５】従来の電気接続箱の取付構造の第１例を示す斜視図である。
【図６】従来の電気接続箱の取付構造の第２例を示す斜視図である。
【発明を実施するための形態】
【００１５】
以下、本発明の実施形態を図面を参照して説明する。
図１は実施形態の電気接続箱の取付構造を簡略化して示す模式図で、（ａ）は電気接続箱を車体に取り付ける前の状態を示す側面図、（ｂ）は電気接続箱を車体に位置決めした状態を示す側面図である。なお、図中矢印Ｘ方向は車両前後方向を示している。
【００１６】
この実施形態の電気接続箱の取付構造では、まず、車体１に、電気接続箱１０の底面を載置するための載置面２、及び電気接続箱１０の側面に面する壁３が設けられている。載置面２は、特にフラットな面とは限らないが、後述するように電気接続箱１０をスライドさせるのに支障のない形状に形成されている。
【００１７】
一方、ロアカバー１２とアッパーカバー１３よりなる電気接続箱本体１１を有する電気接続箱１０の前端（後述するスライド方向における前端）には取付ブラケット１６が設けられ、この取付ブラケット１６にボルト通し孔１７が設けられている。また、車体１には、取付ブラケット１６を突き当てるための壁３が設けられており、その壁３には、裏面にナット６が溶接されることで、取付ブラケット１６のボルト通し孔１７に対応したネジ孔７が設けられている。そしてこのネジ孔７の設けられた部分が、取付ブラケット１６を受け止める受部８として構成されている。ここでは、電気接続箱１０側の取付ブラケット１６と、車体１側の受部８と、取付ブラケット１６のボルト通し孔１７に通した上で受部８のネジ孔７にねじ込まれることで取付ブラケット１６を受部８に締結するボルト２０とが、第２係合手段に相当する。
【００１８】
また、車体１側の載置面２と電気接続箱１０の底面には、載置面２に電気接続箱１０を載せた状態で、電気接続箱１０を矢印Ｆ方向（所定方向）にスライドさせることにより、互いに係合して、係合した状態で、載置面２より上方（矢印Ａ方向）への電気接続箱１０の移動を規制すると共に、スライド方向Ｆと交差し且つ載置面２と略平行な左右方向（符号Ｂで示す紙面と垂直な方向）への電気接続箱１０の移動を規制する、フック１４と差し込み枠４の組（第１係合手段）が設けられている。ここでは、電気接続箱１０の底面にフック１４が設けられ、車体１側の載置面２に差し込み枠４が設けられているが、その逆に、電気接続箱１０の底面に差し込み枠４が設けられ、車体１側の載置面２にフック１４が設けられていてもよい。
【００１９】
また、載置面２と電気接続箱１０の底面には、フック１４と差し込み枠４が係合状態となった時に互いに係合可能となり、係合することにより、電気接続箱１０の左右方向Ｂの移動を規制し、それにより、取付ブラケット１６と受部８とを位置合わせしてボルト２０による締結が可能となるようにする、ボス１５と凹部５の組（第３係合手段）が設けられている。ここでは、ボス１５が電気接続箱１０の底面に設けられ、凹部５が載置面２に設けられているが、その逆に、ボス１５が載置面２に設けられ、凹部５が電気接続箱１０の底面に設けられていてもよい。
【００２０】
この場合、取付ブラケット１６と受部８とボルト２０は、電気接続箱１０を車体１に本固定する手段であり、ボルト２０で取付ブラケット１６を受部８に締結した場合、その締結部分により、電気接続箱１０をスライド方向Ｆ、スライド方向Ｆと逆方向（矢印Ｃ方向）、スライド方向Ｆと交差し且つ載置面２と略平行な左右方向（符号Ｂで示す紙面と垂直な方向）、および上方向Ａおよび下方向に規制するができるようになっている。
【００２１】
また、第１〜第３係合手段の位置関係について述べると、第１係合手段であるフック１４と差し込み枠４は、電気接続箱１０のスライド方向Ｆの後部に配置され、第２係合手段である取付ブラケット１６や受部８は、電気接続箱１０のスライド方向Ｆの前部に配置され、第３係合手段であるボス１５と凹部５は、第１係合手段と第２係合手段の中間に配置されている。
【００２２】
次に電気接続箱１０を固定する手順について述べる。
その場合は、まず、図１（ｂ）に二点鎖線で示すように、電気接続箱１０を載置面２の上に載せる。そして、電気接続箱１０を矢印Ｆ方向にスライドさせることにより、フック１４を差し込み枠４に係合させる。次いで、電気接続箱１０の前側を倒すようにして、ボス１５を凹部５に係合させる。こうすることにより、取付ブラケット１６が受部８に位置合わせされる。従って、その状態で取付ブラケット１６側からボルト２０を通して受部８のネジ孔７にねじ込むことにより、電気接続箱１０を車体１に固定することができる。
【００２３】
この状態において電気接続箱１０は、フック１４と差し込み枠４の係合により、上方向Ａおよび左右方向Ｂへ動かないように拘束され、取付ブラケット１６と受部８の固定により、全方向へ拘束される。従って、電気接続箱１０の離れた２箇所が拘束されていることにより、電気接続箱１０が安定して車体１に固定されることになる。
【００２４】
以上の説明のように、本実施形態の電気接続箱の取付構造によれば、電気接続箱１０の底面を車体１側に設けた載置面２に載せ、その状態で、電気接続箱１０を所定の方向にスライドさせることにより、フック１４と差し込み枠４を係合させることができ、また、その係合状態で取付ブラケット１６を受部８にボルト止めすることにより、電気接続箱１０を全方向に動かないように固定することができる。この場合、電気接続箱１０を載置面２に載せることにより、電気接続箱１０の荷重を車体１側に全面的に預けた状態で取付作業ができるので、作業負担を大幅に軽減することができる。また、載置面２に載せた状態で電気接続箱１０を所定方向（矢印Ｆ方向）にスライドさせるだけで、フック１４を差し込む枠４に係合させることができ、更にその状態で、取付ブラケット１６と受部８をボルト止めすることができるので、簡単な操作で確実に電気接続箱１０を車体１に取り付けることができる。しかも、第１係合手段（フック１４よ差し込み枠４）と第２係合手段（取付ブラケット１６と受部８）の位置が電気接続箱１０のスライド方向に離れているので、２箇所の係合手段により電気接続箱１０の動きを確実に制限することができ、ガタつきなく電気接続箱１０を車体１に固定することができる。
【００２５】
また、フック１４と差し込み枠４が係合した上で、第３係合手段であるボス１５と凹部５が係合することにより、取付ブラケット１６と受部８とを位置合わせすることができるので、ボルト２０による本固定作業が容易にできるようになり、作業の一層の容易化が図れる。また、そのボス１５と凹部５が、第１係合手段と第２係合手段の中間に位置しているので、取付ブラケット１６と受部８との位置合わせを容易にしかも確実に行うことができる。
【００２６】
図２〜図４は上述した取付構造の電気接続箱１０側の構成をより具体的に示す図である。
電気接続箱１０の本体１１は、ロアカバー１２とアッパーカバー１３とから構成され、ロアカバー１２の底面の後端よりの位置に第１係合手段に相当する２つのフック１４が設けられ、それより前側の位置にボス１５が設けられ、電気接続箱本体１１の前端から突出する形態で取付ブラケット１６が設けられている。
【００２７】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００２８】
１  車体
２  載置面
３  壁
４  差し込み枠（第１係合手段）
５  凹部（第３係合手段）
８  受部（第２係合手段）
１０  電気接続箱
１４  フック（第１係合手段）
１５  ボス（第１係合手段）
１６  取付ブラケット（第２係合手段）
２０  ボルト（第２係合手段）
【図１】
0005464731.tif 000002
【図２】
0005464731.tif 000003
【図３】
0005464731.tif 000004
【図４】
0005464731.tif 000005
【図５】
0005464731.tif 000006
【図６】
0005464731.tif 000007